(57)【特許請求の範囲】
【請求項１】
管理装置に第１のネットワークを介して接続される第１の電子装置にパスを介して接続され、
前記管理装置と第２のネットワークを介して接続される
第２の電子装置であって、
前記第１の電子装置によって、前記第２の電子装置に対する電力の供給が制御される電源と、
前記管理装置が、前記電源の制御を前記第１の電子装置に指示する電源制御指示を、前記第１の電子装置に対して送信する際に、通信の異常を検知した場合、前記管理装置から前記電源制御指示を受信し、該電源制御指示を前記パスを介して、前記第１の電子装置に対して転送する転送手段と
を含む第２の電子装置。
【請求項２】
前記転送手段は、前記パスを介して、前記電源制御指示に対する応答を受信した場合、前記ネットワークを介して、前記指示の送信元に対して前記応答を送信する
請求項１記載の第２の電子装置。
【請求項３】
前記電源制御指示は、少なくとも、電力の供給開始を指示するパワーオン指示、または電力の供給終了を指示するパワーオフ指示を含み、
前記転送手段は、前記パワーオン指示に対する処理の実行後に行う運用動作の実行を指示する運用制御指示を前記ネットワークを介して受信した場合には、前記パスを介して、前記第１の電子装置に対して前記運用制御指示を転送する
請求項１または２記載の第２の電子装置。
【請求項４】
前記転送手段は、パワーオフの後、再びパワーオンを行うまでに空ける時間を表す再立ち上げ時間を含むパワーオフ指示を前記ネットワークを介して受信した場合には、前記パスを介して、前記第１の電子装置に対して前記再立ち上げ時間を含むパワーオフ指示を転送する
請求項３記載の第２の電子装置。
【請求項５】
前記パスを介して請求項１乃至４のいずれか１つに記載の第２の電子装置と接続される第１の電子装置であって、
前記パスまたは他のネットワークを介して、前記電源制御指示を受信した場合に、前記電源制御指示に基づいて、前記電源を制御する電源制御手段を含む
第１の電子装置。
【請求項６】
第１のネットワークを介して、第１の電子装置と通信を行い、第２のネットワークを介して、第２の電子装置と通信を行う通信制御手段と、
前記第２の電子装置の電源の制御を指示する電源制御指示を、前記第１の電子装置に対して送信する際に通信の異常を検知した場合、前記通信制御手段を介して、前記第２の電子装置に対して、前記電源制御指示を送信する管理手段を含む
管理装置。
【請求項７】
請求項１乃至４のいずれか１つに記載の第２の電子装置と、
前記第２の電子装置とパスを介して接続される請求項５に記載の第１の電子装置と
を含む情報処理装置。
【請求項８】
第２のネットワークを介して接続される第２の電子装置の電源の制御を指示する電源制御指示を、第１のネットワークを介して接続される第１の電子装置に対して送信する際に、通信の異常を検知した場合、前記第２の電子装置に対して、前記電源制御指示を送信する管理手段を含む管理装置と、
前記第２の電子装置に電力を供給する前記電源、および
前記第２のネットワークを介して、前記電源制御指示を受信した場合に、パスを介して接続される前記第１の電子装置に対して、前記電源制御指示を転送する転送手段を含む前記第２の電子装置と、
前記パス、または、前記第１のネットワークを介して、前記電源制御指示を受信した場合に、前記電源制御指示に基づいて、前記第２の電子装置の前記電源を制御する電源制御手段を含む前記第１の電子装置と
を含む制御システム。
【請求項９】
管理装置と第２のネットワークを介して接続される第２の電子装置の電源の制御を指示する電源制御指示を、前記管理装置と第１のネットワークを介して接続される第１の電子装置に対して送信する際に、通信の異常を検知した場合、前記管理装置から前記第２の電子装置に対して、前記電源制御指示を送信し、
前記第２の電子装置において、
前記電源制御指示を受信し、
前記電源制御指示を、パスを介して接続される前記第１の電子装置に対して、前記パスを介して送信し、
前記第１の電子装置において、
前記電源制御指示を受信し、
前記電源制御指示に基づいて、前記第２の電子装置の前記電源を制御する
電源制御方法。
【請求項１０】
管理装置に第１のネットワークを介して接続される第１の電子装置にパスを介して接続され、
前記管理装置と第２のネットワークを介して接続される
第２の電子装置が備えるコンピュータに、
前記第２の電子装置に対して電力を供給する電源の制御を前記第１の電子装置に指示する電源制御指示を、前記第１の電子装置に対して送信する際に、通信の異常を検知した場合、前記管理装置から前記電源制御指示を受信する受信処理と、
該電源制御指示を前記パスを介して、前記第１の電子装置に対して転送する転送処理と
を実行させるコンピュータ・プログラム。
【発明の詳細な説明】
【技術分野】
【０００１】
本発明は、管理装置から、ネットワークを介して、電子装置の電源を制御する技術に関する。
【背景技術】
【０００２】
コンピュータシステム等において、管理装置から、ネットワークを介して、電子装置の電源を制御する技術が普及している。このようなシステムでは、電源制御に使用しているネットワークが故障した場合、管理装置による電源制御ができなくなる。その結果、ネットワークの復旧まで、保守員が、人手によって電源制御を行わなければならないという問題があった。
【０００３】
このような電源制御の問題に関連する技術として、例えば、特許文献１には、汎用通信路の障害に備えて、専用の通信路を有するデバイス制御システムが開示されている。この特許文献１に記載されるデバイス制御システムは、ホスト機器とデバイス機器との間におけるデータの送受信に使用される汎用ＩＦ（インターフェイス）による通信路の他に、専用ＩＦによる通信路を有する。汎用ＩＦがハングアップしたとき、ホスト機器の制御部が、専用ＩＦを介して、デバイス機器に対するリセット信号を送信する。デバイス機器では、専用ＩＦ回路が、リセット信号に応じて、汎用ＩＦ回路を再起動させることによって汎用通信路が復旧できる。
【０００４】
また、特許文献２には、管理対象コンピュータの電源制御を行うエージェントにおける障害に対応するコンピュータ管理装置が開示されている。この特許文献２に記載されるコンピュータ管理装置において、エージェントは、通常、回線を介して接続されるリモート管理コンピュータから指示を受けて、管理対象コンピュータの電源制御を行う。管理対象コンピュータは、エージェントが動作するコンピュータ本体のプロセッサと独立に動作するサービスプロセッサボード（ＳＶＰ）を備える。エージェントに障害が発生した場合、ＳＶＰは、エージェントに接続されていた回線を、ＳＶＰのローカルプロセッサに接続するよう切換えることにより、回線からの制御指示の処理を継続することができる。
【０００５】
また、特許文献３には、デバイスの状態を監視する診断プロセッサを備えるクライアントコンピュータにおいて、診断プロセッサの障害時にも、リモートのサーバに対するメッセージ出力の継続、およびＯＳ終了を可能とするコンピュータシステムが開示されている。
【先行技術文献】
【特許文献】
【０００６】
【特許文献１】特開２００３−１３１９５６号公報
【特許文献２】特開平０９−０５０３８６号公報
【特許文献３】特開２００９−１７６１５３号公報
【発明の概要】
【発明が解決しようとする課題】
【０００７】
しかしながら、特許文献１に記載されるデバイス制御システムにおいては、故障の際にだけ使われる冗長な専用通信路を用意する必要があるという問題がある。
【０００８】
また、特許文献２または３に記載されるコンピュータ管理装置、またはコンピュータシステムは、ネットワーク（回線）には障害がないことを前提として、電源制御の実行主体の障害に対処している。したがって、これらのコンピュータ管理装置、またはコンピュータシステムは、ネットワークが故障した場合には、電源制御が行えないという問題がある。
【０００９】
本発明の１つの目的は、冗長な専用の回線の必要なしに、電源制御に使用しているネットワークが故障した場合にも、管理装置が電子装置の電源制御の指示を継続することができる電子装置などを提供することにある。
【課題を解決するための手段】
【００１０】
上記の目的を達成すべく、本発明の一態様に係る第２の電子装置は、以下の構成を備えることを特徴とする。
【００１１】
すなわち、本発明の一態様に係る第２の電子装置は、
パスを介して接続される第１の電子装置から制御され、自装置に対して電力を供給する電源と、
前記電源の制御を指示する電源制御指示を、ネットワークを介して受信した場合に、前記パスを介して、前記第１の電子装置に対して前記電源制御指示を転送する転送手段と
を含む。
【００１２】
また、上記の同目的を達成すべく、本発明の一態様に係る第１の電子装置は、上述した構成を含む第２の電子装置とパスを介して接続され、
前記パスまたは他のネットワークを介して、前記電源制御指示を受信した場合に、前記電源制御指示に基づいて、前記電源を制御する電源制御手段を含む。
【００１３】
また、上記の同目的を達成すべく、本発明の一態様に係る管理装置は、
第１のネットワークを介して、第１の電子装置と通信を行い、第２のネットワークを介して、第２の電子装置と通信を行う通信制御手段と、
前記第２の電子装置の電源の制御を指示する電源制御指示を、前記第１の電子装置に対して送信する際に通信の異常を検知した場合、前記通信制御手段を介して、前記第２の電子装置に対して、前記電源制御指示を送信する管理手段を含む。
【００１４】
また、上記の同目的を達成すべく、本発明の一態様に係る制御システムは、
第２のネットワークを介して接続される第２の電子装置の電源の制御を指示する電源制御指示を、第１のネットワークを介して接続される第１の電子装置に対して送信する際に、通信の異常を検知した場合、前記第２の電子装置に対して、前記電源制御指示を送信する管理手段を含む管理装置と、
前記第２の電子装置に電力を供給する前記電源、および
前記第２のネットワークを介して、前記電源制御指示を受信した場合に、パスを介して接続される前記第１の電子装置に対して、前記電源制御指示を転送する転送手段を含む前記第２の電子装置と、
前記パス、または、前記第１のネットワークを介して、前記電源制御指示を受信した場合に、前記電源制御指示に基づいて、前記第２の電子装置の前記電源を制御する電源制御手段を含む前記第１の電子装置と
を含む。
【００１５】
また、上記の同目的を達成すべく、本発明の一態様に係る電源制御方法は、情報処理装置によって、
管理装置と第２のネットワークを介して接続される第２の電子装置の電源の制御を指示する電源制御指示を、前記管理装置と第１のネットワークを介して接続される第１の電子装置に対して送信する際に、通信の異常を検知した場合、前記管理装置から前記第２の電子装置に対して、前記電源制御指示を送信し、
前記第２の電子装置において、
前記電源制御指示を受信し、
前記電源制御指示を、パスを介して接続される前記第１の電子装置に対して、前記パスを介して送信し、
前記第１の電子装置において、
前記電源制御指示を受信し、
前記電源制御指示に基づいて、前記第２の電子装置の前記電源を制御する。
【００１６】
また、同目的は、上記の各構成を有する第２の電子装置、第１の電子装置、管理装置、制御システム、並びに対応する方法を、それぞれコンピュータによって実現するコンピュータ・プログラム、およびそのコンピュータ・プログラムが格納されている、コンピュータ読み取り可能な記憶媒体によっても達成される。
【発明の効果】
【００１７】
本発明には、電源制御を指示する管理装置と、指示を受ける電子装置との間を接続するネットワークの障害が発生した場合にも、電源制御が継続できるという効果がある。
【図面の簡単な説明】
【００１８】
【図１】本発明の第１の実施形態に係る制御システムの構成、および通信環境の一例を示すブロック図である。
【図２】本発明の第２の実施形態および変形例に係る制御システムの構成、および通信環境の一例を示すブロック図である。
【図３】第２の実施形態において、通常の電源制御に係る通信の一例を示すシーケンス図である。
【図４】第２の実施形態において、第１のネットワーク１００１が故障した場合における電源切断に係る通信の一例を示すシーケンス図である。
【図５】第２の実施形態の変形例において、第１のネットワーク１００１が故障した場合における電源切断および再立ち上げに係る通信の一例を示すシーケンス図である。
【図６】第２の実施形態の変形例において、第１のネットワーク１００１が故障した場合における電源切断後、再立ち上げの停止に係る通信の一例を示すシーケンス図である。
【図７】本発明の各実施形態、および、その変形例に係る制御システムに適用可能なコンピュータ（情報処理装置）の構成を例示する図である。
【発明を実施するための形態】
【００１９】
次に、本発明の実施形態について図面を参照して詳細に説明する。
【００２０】
＜第１の実施形態＞
図１は、本発明の第１の実施形態に係る制御システムの構成を示すブロック図である。図１を参照すると、本実施形態に係る制御システムは、管理装置１、第１の電子装置１０、および第２の電子装置２０を含む。
【００２１】
管理装置１と第１の電子装置１０とは、インターネットや構内ＬＡＮ（ローカルエリアネットワーク）等の第１の通信ネットワーク（以下、単に「第１のネットワーク」と言う）１００１を介して通信可能である。また、管理装置１と第２の電子装置２０とは、インターネットや構内ＬＡＮ等の第２の通信ネットワーク（以下、単に「第２のネットワーク」と言う）１００２を介して通信可能である。第１の電子装置１０と第２の電子装置２０とは、インターネット、構内ＬＡＮ、または信号線等の通信路であるパス３０を介して通信可能である。
【００２２】
管理装置１、第１の電子装置１０、および第２の電子装置２０は、ＣＰＵ（Ｃｅｎｔｒａｌ  Ｐｒｏｃｅｓｓｉｎｇ  Ｕｎｉｔ：図示せず）を用いて実行されるコンピュータ・プログラム（ソフトウェア・プログラム）の制御により動作する一般的な情報処理装置（コンピュータ）によって構成されても良い。または、管理装置１、第１の電子装置１０、および第２の電子装置２０の各部が、専用のハードウェアデバイス、または論理回路によって構成されても良い。なお、この管理装置１、第１の電子装置１０、および第２の電子装置２０をコンピュータによって実現したハードウェア構成例については、図７を参照して後述する。
【００２３】
管理装置１は、通信制御部２、および運用管理部３を含む。
【００２４】
通信制御部２は、第１のネットワーク１００１を介して、第１の電子装置１０と通信を行うことができる。また、通信制御部２は、第２のネットワーク１００２を介して、第２の電子装置２０と通信を行うことができる。通信制御部２は、通信先に応じて、第１のネットワーク１００１または第２のネットワーク１００２を選択することができる。
【００２５】
運用管理部３は、通信制御部２を介して、第２の電子装置２０の電源２３の制御を指示する電源制御指示を、第１の電子装置１０に対して送信することができる。その通信が失敗した場合、運用管理部３は、第２の電子装置２０に対して、その電源制御指示を送信する。すなわち、電源制御指示を第１の電子装置１０に対して送信する際に、第１のネットワーク１００１に対する通信の異常を検知した場合、運用管理部３は、第２のネットワーク１００２を介して、第２の電子装置２０に対して、電源制御指示を送信する。通信の異常の検知は、電源制御指示を送信するより前に検知されていてもよい。
【００２６】
第２の電子装置２０は、通信制御部２１、転送部２２、および電源２３を含む。
【００２７】
通信制御部２１は、第２のネットワーク１００２を介して、管理装置１と通信を行うことができる。なお、第２の電子装置２０は、第２のネットワーク１００２を、電源制御指示以外の、管理装置１との間の通信に使用してもよい。
【００２８】
転送部２２は、通信制御部２１（第２のネットワーク１００２）を介して、管理装置１から電源制御指示を受信した場合に、パス３０を介して、その電源制御指示を第１の電子装置１０に対して転送（送信）することができる。
【００２９】
電源２３は、第２の電子装置２０に対して、電力を供給する。電源２３は、パス３０、または図示しない信号線等を介して、制御を受けることができる。なお、管理装置１、および第１の電子装置１０は、それぞれ、電源２３とは独立した電源（図示せず）によって電力の供給を受ける。
【００３０】
第１の電子装置１０は、通信制御部１１、および電源制御部１２を含む。
【００３１】
通信制御部１１は、第１のネットワーク１００１を介して、管理装置１と通信を行うことができる。
【００３２】
電源制御部１２は、管理装置１から送信された電源制御指示に基づいて、第２の電子装置２０の電源２３を制御することができる。電源制御指示を管理装置１から第１のネットワーク１００１を介して直接受信できない場合、電源制御部１２は、第２の電子装置２０を介して運用管理部３からの電源制御指示を受信することができる。すなわち、電源制御部１２は、パス３０を介して、第２の電子装置２０によって転送された電源制御指示に基づいて、電源２３を制御することができる。電源制御部１２による電源２３の制御は、パス３０、または図示しない信号線等の通信路を介して行ってもよい。
【００３３】
このように、本実施形態において、第２の電子装置２０は、パス３０を介して接続される第１の電子装置によって、自装置に対する電力の供給が制御される電源２３を含む。また、第２の電子装置２０の転送部２２は、電源２３の制御を指示するための電源制御指示を、第２のネットワーク１００２を介して受信した場合に、パス３０を介して、第１の電子装置１０に対して電源制御指示を転送する。
【００３４】
したがって、管理装置１から第１の電子装置１０への電源制御指示の送信が失敗する場合であっても、管理装置１は、第２の電子装置２０を経由して、電源制御指示を第１の電子装置１０に対して送ることができる。
【００３５】
以上説明したように、本実施形態には、電源制御を指示する管理装置１と、指示を受ける電子装置（第１の電子装置１０）との間を接続するネットワークの障害が発生した場合にも、電源制御が継続できるという効果がある。具体的に、本実施形態では、電源制御に使用している第１のネットワーク１００１が故障した場合にも、管理装置１が、第２の電子装置２０の電源制御の指示を継続することができるという効果がある。すなわち、第１の電子装置１０は、第１のネットワーク１００１が故障した場合にも、電源制御の指示を受け取ることができる。また、本実施形態には、冗長な専用の回線を用意する必要がないという効果もある。
【００３６】
その理由は、第１のネットワーク１００１を介して通信できない場合、管理装置１が、第２のネットワーク１００２を介して、第２の電子装置２０に対して電源制御指示を送信するからである。また、第２の電子装置２０が、第１の電子装置１０と接続するパス３０を介して、その電源制御指示を、第１の電子装置１０に対して転送するからである。そして、第１の電子装置１０が、パス３０を介して受信した電源制御指示に基づいて、第２の電子装置２０の電源２３を制御することができるからである。また、第２の電子装置２０は、第２のネットワーク１００２を、電源制御指示以外の通信にも使用することができるからである。
【００３７】
なお、本実施形態の変形例としては、以下のようなものが考えられる。
【００３８】
例えば、電源制御部１２は、電源制御指示に対する応答を送る場合、パス３０を介して、第２の電子装置２０に対して応答を送信してもよい。この変形例において、第２の電子装置２０の転送部２２は、パス３０から受信した応答を、第２のネットワーク１００２を介して、管理装置１に対して転送（送信）する。このようにして、管理装置１の運用管理部３は、第２のネットワーク１００２を介して、電源制御指示に対する応答を受信することができる。
【００３９】
以上、説明したように本変形例には、電源制御に使用している第１のネットワーク１００１が故障した場合にも、管理装置１が、第１の電子装置１０からの電源制御指示に対する応答を受け取ることができるという効果がある。
【００４０】
その理由は、第１のネットワーク１００１を介して通信できない場合、第１の電子装置１０の電源制御部１２が、パス３０を介して、第２の電子装置２０に対して応答を送信するからである。そして、第２の電子装置２０が、第２のネットワーク１００２を介して、受信した電源制御指示を、管理装置１に対して転送するからである。
【００４１】
なお、本変形例において、電源制御部１２が応答を送信する際に第１のネットワーク１００１を介した通信が可能である場合、電源制御部１２は、第１のネットワーク１００１を介して応答を送信してもよい。
【００４２】
また、本実施形態に示した構成は一例である。例えば、第１の電子装置１０および第２の電子装置２０は、同じ電子装置の筐体に含まれる構成であっても実現可能である。
【００４３】
＜第２の実施形態＞
次に、上述した第１の実施形態および変形例を基本とする第２の実施形態について説明する。以下では、第２の実施形態に係る特徴的な部分を中心に説明する。第１の実施形態および変形例と同様な構成を有する第２の実施形態の構成要素には、第１の実施形態および変形例で付した参照符号と同一の参照符号を付し、その構成要素について重複する詳細な説明は省略する。
【００４４】
まず、図２を参照して、以下に本実施形態の構成を説明する。図２は、本発明の第２の実施形態および変形例の構成を示すブロック図である。
【００４５】
図２を参照すると、本実施形態は、管理装置１００と、情報処理装置４００とを含む。情報処理装置４００は、診断装置２００、および管理対象装置３００を含む。管理装置１００は、第１の実施形態における管理装置１を基本とする。診断装置２００は、第１の実施形態における第１の電子装置１０を基本とする。管理対象装置３００は、第１の実施形態における第２の電子装置２０を基本とする。
【００４６】
本実施形態は、一例として、管理装置１００が、２つのネットワーク１００１および１００２を介して、情報処理装置４００の電源制御を含む運用管理を行う制御システムに、本発明を適用した場合を説明する。上述した通り、本実施形態は、診断装置（第１の電子装置）２００と、管理対象装置（第２の電子装置）３００とが同じ情報処理装置４００の筐体に実装されている点が、第１の実施形態と異なる。
【００４７】
また、本実施形態における電源制御指示は、一例として、電力の供給開始を指示するパワーオン指示と、電力の供給終了を指示するパワーオフ指示とを含む。パワーオン指示は、管理対象装置３００の立ち上げの指示であるとも言える。また、パワーオフ指示は、管理対象装置３００の終了の指示であるとも言える。
【００４８】
管理装置１００と診断装置２００とは、インターネットや構内ＬＡＮ等の第１の通信ネットワーク（以下、単に「第１のネットワーク」と言う）１００１を介して通信可能である。また、管理装置１００と管理対象装置３００とは、インターネットや構内ＬＡＮ等の第２の通信ネットワーク（以下、単に「第２のネットワーク」と言う）１００２を介して通信可能である。診断装置２００と管理対象装置３００とは、一例として、信号線等の通信路であるパス３０を介して通信可能である。
【００４９】
管理装置１００、診断装置２００、および管理対象装置３００の各部が、専用のハードウェアデバイス、または論理回路によって構成されても良い。また、管理装置１００、および情報処理装置４００は、ＣＰＵを用いて実行されるコンピュータ・プログラム（ソフトウェア・プログラム）の制御により動作する一般的な情報処理装置（コンピュータ）によって構成されても良い。なお、この管理装置１００、および情報処理装置４００をコンピュータによって実現したハードウェア構成例については、図７を参照して後述する。
【００５０】
管理装置１００は、通信制御部２、および運用管理部１０３を含む。
【００５１】
通信制御部２は、第１の実施形態における管理装置１の通信制御部２を基本とする。本実施形態の通信制御部２は、第１のネットワーク１００１を介して、情報処理装置４００に含まれる診断装置２００と通信を行うことができる。また、通信制御部２は、第２のネットワーク１００２を介して、情報処理装置４００に含まれる管理対象装置３００と通信を行うことができる。
【００５２】
運用管理部１０３は、第１の実施形態における管理装置１の運用管理部３を基本とする。運用管理部１０３は、電源制御指示を含む各種の運用管理に関する通信を行うことができる。本実施形態では、電源制御指示の一例として、運用管理部１０３は、診断装置２００に対して、管理対象装置３００のパワーオンまたはパワーオフを指示する電源制御指示を、診断装置２００に対して送信することができる。運用管理部１０３は、第１の実施形態と同様に、第１のネットワーク１００１に対する通信の異常を検知した場合、診断装置２００に対する電源制御指示を、管理対象装置３００に対して送信する。
【００５３】
また、運用管理部１０３は、パワーオン後、管理対象装置３００を少なくとも通信可能とする初期化処理を指示する初期化指示を、診断装置２００に対して送信することができる。さらに、運用管理部１０３は、管理対象装置３００が通信可能な状態となった後に、ＯＳの立ち上げに関するＯＳ立ち上げ処理を、第２のネットワーク１００２を介して、管理対象装置３００に対して行うことができる。
【００５４】
上述した以外の通信制御部２および運用管理部１０３の構成と機能とは、第１の実施形態と同様であるので、詳細な説明は省略する。
【００５５】
情報処理装置４００は、上述した通り、管理対象装置３００および診断装置２００を含む。管理対象装置３００は、ＩＯＰ（Ｉｎｐｕｔ−Ｏｕｔｐｕｔ  Ｐｒｏｃｅｓｓ）部３２１、ＣＰＵ部３３０、および電源２３を含む。ＣＰＵ部３３０は、転送部３２２、およびＯＳコマンド制御部３３１を含む。
【００５６】
ＩＯＰ部３２１は、第１の実施形態における第２の電子装置２０の通信制御部２１を基本とする。ＩＯＰ部３２１は、第２のネットワーク１００２を介して、管理装置１００と通信を行うことができる。本実施形態では、一具体例として、ＩＯＰ部３２１は、管理対象装置３００の通信を制御する入出力プロセッサとして実現される。
【００５７】
ＣＰＵ部３３０は、本実施形態では、一具体例として、管理対象装置３００のＯＳが動作するメインプロセッサとして実現される。
【００５８】
転送部３２２は、第１の実施形態における第２の電子装置２０の転送部２２を基本とする。転送部３２２は、ＩＯＰ部３２１を介して、管理装置１００から電源制御指示を受信した場合に、パス３０を介して、その電源制御指示を診断装置２００に対して転送することができる。
【００５９】
ＯＳコマンド制御部３３１は、第２のネットワーク１００２を介して受信した、ＯＳに対する通信コマンドを解析し、その通信コマンドを実行することができる。
【００６０】
電源２３は、第１の実施形態における第２の電子装置２０の電源２３を基本とする。本実施形態において、電源２３は、管理対象装置３００に対して電力を供給する。本実施形態の電源２３は、一例として、パス３０を介して、診断装置２００による電源制御を受けることができる。診断装置２００は、電源２３とは独立した図示しない電源によって、電力の供給を受ける。
【００６１】
上述した以外のＩＯＰ部３２１、転送部３２２、および電源２３の構成と機能とは、第１の実施形態と同様であるので、詳細な説明は省略する。
【００６２】
情報処理装置４００に含まれる診断装置２００は、通信制御部１１、および診断コマンド制御部２１２を含む。
【００６３】
通信制御部１１は、第１の実施形態における第１の電子装置１０の通信制御部１１を基本とする。通信制御部１１は、第１のネットワーク１００１を介して、管理装置１００と通信を行うことができる。
【００６４】
診断コマンド制御部２１２は、第１の実施形態における第１の電子装置１０の電源制御部１２を基本とする。診断コマンド制御部２１２は、少なくとも、管理装置１００から送信された電源制御指示に基づいて、管理対象装置３００の電源２３を制御することができる。診断コマンド制御部２１２は、パス３０を介して、管理対象装置３００によって転送された電源制御指示に基づいて、電源２３を制御することができる。本実施形態では、診断コマンド制御部２１２は、一例として、パス３０を介して電源２３の制御を行う。
【００６５】
診断コマンド制御部２１２は、管理装置１００から送信される各指示を、管理対象装置３００（パス３０）を介して、または、直接第１のネットワーク１００１を介して、受信することができる。本実施形態に係る診断コマンド制御部２１２は、第１のネットワーク１００１を介して各指示を受信した場合にも、上記と同様に各指示に基づいて、管理対象装置３００の電源２３を制御してもよい。または、診断コマンド制御部２１２は、電源制御指示を第１のネットワークから直接受信した場合、上記とは異なる電源制御処理を行ってもよい。すなわち、診断コマンド制御部２１２は、電源制御指示、および電源制御指示を受信した経路に基づいて、電源制御処理を行ってもよい。また、診断コマンド制御部２１２は、第１のネットワークを介して受信する電源制御指示の他の指示に基づく処理を実行することができる。一例として、診断コマンド制御部２１２は、上述した初期化指示に基づいて、管理対象装置３００を少なくとも通信可能とする初期化処理を実行してもよい。
【００６６】
上述した以外の通信制御部１１、および診断コマンド制御部２１２の構成と機能とは、第１の実施形態と同様であるので、詳細な説明は省略する。
【００６７】
次に、上述した構成を備える本実施形態の動作の概要を説明する。管理装置１００の運用管理部１０３は、第１のネットワーク１００１および第２のネットワーク１００２を介して、情報処理装置４００に含まれる管理対象装置３００の運用制御を行う。本実施形態における運用制御には、一例として、パワーオン処理、初期化処理、ＯＳ立ち上げ処理、およびパワーオフ処理がある。通常、運用管理部１０３は、パワーオン処理、初期化処理、およびパワーオフ処理の実行を、第１のネットワーク１００１を介して診断装置２００に対して、それぞれに対応する指示を送信することにより指示する。また、運用管理部１０３は、第２のネットワーク１００２を介して、管理対象装置３００のＩＯＰ部３２１を経由して、ＯＳコマンド制御部３３１に対してＯＳ立ち上げ命令を送信することにより、ＯＳ立ち上げ処理を行う。
【００６８】
パワーオン処理は、電源２３に、電力の供給を開始させる処理を含む。パワーオフ処理は、電源２３に、電力の供給を終了させる処理を含む。なお、パワーオフ処理は、電力の供給を終了させる前に行うシャットダウン処理などを含んでもよい。初期化処理およびＯＳ立ち上げ処理は、パワーオン処理後に管理対象装置３００に対して行う運用動作の一例である。すなわち、初期化処理を指示する初期化指示は、運用動作を指示する運用制御指示の一例である。
【００６９】
次に、本実施形態の動作を詳細に説明する。まず初めに、図３を参照して、第１のネットワーク１００１に異常がない通常の状態における動作を説明する。図３は、第２の実施形態において、通常の電源制御に係る通信の一例を示すシーケンス図である。以下の動作開始の時点において、管理対象装置３００は、パワーオフ状態であることを前提とする。管理装置１００および診断装置２００は、動作中であることを前提とする。
【００７０】
まず、管理装置１００の運用管理部１０３は、第１のネットワーク１００１を介して、診断装置２００に対して、管理対象装置３００のパワーオン処理の実行を指示するパワーオン指示５００を送信する。
【００７１】
診断装置２００においては、通信制御部１１を介して、診断コマンド制御部２１２が、パワーオン指示５００を受信する。診断コマンド制御部２１２は、受信したパワーオン指示５００に基づいて、パス３０を介して、パワーオン命令６００を管理対象装置３００に送信し、管理対象装置３００の電源２３を制御することにより、管理対象装置３００のパワーオン処理を行う。
【００７２】
次に、管理装置１００の運用管理部１０３は、第１のネットワーク１００１を介して、診断装置２００に対して、初期化処理の実行を指示する初期化指示５０１を送信する。
【００７３】
診断装置２００においては、通信制御部１１を介して、診断コマンド制御部２１２が、初期化指示５０１を受信する。診断コマンド制御部２１２は、受信した初期化指示５０１に基づいて、パス３０を介して、初期化命令６０１を管理対象装置３００に送信することによって、管理対象装置３００の初期化処理を行う。初期化処理が行われると、管理対象装置３００のＩＯＰ部３２１、およびＣＰＵ部３３０が動作可能となる。すなわち、管理対象装置３００は、第２のネットワーク１００２を介して、管理装置１００との通信が可能となる。
【００７４】
次に、管理装置１００の運用管理部１０３は、第２のネットワーク１００２を介して、管理対象装置３００に対して、ＯＳ立ち上げ処理を行う。具体的には、運用管理部１０３は、ＩＯＰ部３２１を介して、ＣＰＵ部３３０のＯＳコマンド制御部３３１に対してＯＳ立ち上げ命令５０２を送信し、立ち上げ処理を行う。この結果、管理対象装置３００は、図示しない様々な処理を実行することができる運用可能状態となる。
【００７５】
最後に、管理対象装置３００を終了させる場合、管理装置１００の運用管理部１０３は、第１のネットワーク１００１を介して、診断装置２００に対して、管理対象装置３００のパワーオフ処理の実行を指示するパワーオフ指示５０３を送信する。
【００７６】
診断装置２００においては、通信制御部１１を介して、診断コマンド制御部２１２が、パワーオフ指示５０３を受信する。診断コマンド制御部２１２は、受信したパワーオフ指示５０３に基づいて、パス３０を介して、パワーオフ命令６０３を管理対象装置３００に送信し、管理対象装置３００の電源２３を制御することにより、管理対象装置３００のパワーオフ処理を行う。この結果、管理対象装置３００は、パワーオフ状態となる。
【００７７】
以上が、第１のネットワーク１００１に異常がない通常の状態における動作の詳細である。
【００７８】
次に、図４を参照して、管理対象装置３００の運用中に第１のネットワーク１００１が故障したことにより、第１のネットワーク１００１を介してパワーオフ指示が送信できない場合におけるパワーオフの動作を説明する。図４は、第２の実施形態において、第１のネットワーク１００１が故障した場合における電源切断に係る通信の一例を示すシーケンス図である。
【００７９】
まず、管理装置１００の運用管理部１０３は、第１のネットワーク１００１を介して、診断装置２００に対して、パワーオフ指示５０３を送信しようとしたとき、通信異常を検出する。
【００８０】
そこで、運用管理部１０３は、第２のネットワーク１００２を介して、管理対象装置３００に対して、パワーオフ指示５０４を送信する。
【００８１】
管理対象装置３００においては、ＩＯＰ部３２１を介して、ＣＰＵ部３３０のＯＳコマンド制御部３３１が、パワーオフ指示５０４を受信する。ＯＳコマンド制御部３３１は、受信した指示がパワーオフ指示５０４であると判断すると、パワーオフ指示５０４を転送部３２２に渡す。なお、ＯＳコマンド制御部３３１が、受信した指示を転送部３２２に渡すことを判断する方法は様々な方法がある。例えば、ＯＳコマンド制御部３３１は、転送部３２２に渡す指示のリストをあらかじめ保持していてもよい。または、例えば、運用管理部１０３が、送信する指示を実行する主体が診断装置２００であることを示す実行者情報を、パワーオフ指示５０４に付加して送信してもよい。この場合、ＯＳコマンド制御部３３１は、受信したパワーオフ指示５０４に付加された実行者情報に基づいて、その指示５０４を転送部３２２に渡すことを判断することができる。
【００８２】
転送部３２２は、パス３０を介して、パワーオフ指示５０４を診断装置２００に対して転送する。
【００８３】
診断装置２００においては、診断コマンド制御部２１２が、パス３０を介して、転送されたパワーオフ指示５０４を受信する。診断コマンド制御部２１２は、転送されたパワーオフ指示５０４に基づいて、パス３０を介して、パワーオフ命令６０３を管理対象装置３００に送信し、管理対象装置３００の電源２３を制御することにより、管理対象装置３００のパワーオフ処理を行う。この結果、管理対象装置３００は、パワーオフ状態となる。
【００８４】
以上説明したように、本実施形態には、第１の実施形態と同様、第１のネットワーク１００１を介して通信できない場合にも、管理装置１００が、管理対象装置３００を介して、管理対象装置３００の電源制御（パワーオフ）指示を診断装置２００に対して送ることができるという効果がある。すなわち、診断装置２００は、第１のネットワーク１００１が故障した場合にも、電源制御の指示を受け取ることができる。
【００８５】
また、本実施形態にも、第１の実施形態と同様、第１のネットワーク１００１を冗長化する専用の回線を用意する必要がないという効果がある。すなわち、本実施形態では、第１のネットワーク１００１が故障した場合、診断装置２００は、通常、電源制御とは異なる用途で使用されている第２のネットワーク１００２を使って、電源制御指示を送ることができる。
【００８６】
その理由は、第１のネットワーク１００１を介して通信できない場合、管理装置１００の運用管理部１０３が、第２のネットワーク１００２を介して、管理対象装置３００に対して電源制御指示を送信するからである。また、管理対象装置３００の転送部３２２が、診断装置２００と接続するパス３０を介して、その電源制御指示を、診断装置２００に対して転送するからである。そして、診断装置２００の診断コマンド制御部２１２が、パス３０を介して受信した電源制御指示に基づいて、管理対象装置３００の電源２３を制御することができるからである。また、管理対象装置３００は、第２のネットワーク１００２を、ＯＳの立ち上げ処理という電源制御以外の通信にも使用することができるからである。
【００８７】
なお、本実施形態の変形例としては、以下のようなものが考えられる。
【００８８】
例えば、第１のネットワーク１００１を介した通信ができない場合に、診断装置２００が、管理対象装置３００のパワーオフの後、再立ち上げを行ってもよい。図４に記述される方法によって、管理対象装置３００がパワーオフされた場合、管理装置１００は、その後、管理対象装置３００を介してパワーオン指示５００を診断装置２００に送ることができない。そこで、管理装置１００の運用管理部１０３は、図４においてパワーオフ指示５０４を送る際、管理対象装置３００をパワーオフした後に再立ち上げ（再度のパワーオン）を行うことも併せて診断装置２００に対して指示してもよい。
【００８９】
図５を参照して、管理対象装置３００の運用中に第１のネットワーク１００１が故障したことにより、第１のネットワーク１００１を介してパワーオフ指示が送信できない場合におけるパワーオフおよび再立ち上げの動作を説明する。図５は、第２の実施形態の変形例において、第１のネットワーク１００１が故障した場合における電源切断および再立ち上げに係る通信の一例を示すシーケンス図である。この変形例における構成は、第２の実施形態（図２）と同様である。
【００９０】
まず、管理装置１００の運用管理部１０３は、第１のネットワーク１００１を介して、診断装置２００に対して、パワーオフ指示５０３を送信しようとしたとき、通信異常を検出する。
【００９１】
管理対象装置３００の再立ち上げが必要な場合、運用管理部１０３は、第２のネットワーク１００２を介して、管理対象装置３００に対して、再立ち上げ時間Ｔを付加したパワーオフ指示（再立ち上げ時間Ｔ）７００を送信する。再立ち上げ時間Ｔは、管理対象装置３００をパワーオフしてから、再び立ち上げを行うまでに空ける時間（インターバルの時間）を示す。
【００９２】
管理対象装置３００において、受信したパワーオフ指示（再立ち上げ時間Ｔ）７００を転送する動作は、上述した動作と同様であるので、詳細な説明は省略する。管理対象装置３００の転送部３２２が、パス３０を介して、パワーオフ指示（再立ち上げ時間Ｔ）７００を診断装置２００に対して転送する。
【００９３】
診断装置２００においては、診断コマンド制御部２１２が、パス３０を介して、転送されたパワーオフ指示（再立ち上げ時間Ｔ）７００を受信する。まず、診断コマンド２１２は、転送されたパワーオフ指示（再立ち上げ時間Ｔ）７００に基づいて、パス３０を介して、パワーオフ命令８００を送信し、管理対象装置３００の電源２３を制御することにより、管理対象装置３００のパワーオフ処理を行う。
【００９４】
そして、指定された再立ち上げ時間Ｔが経過した後、診断コマンド制御部２１２は、少なくとも、パワーオン命令８０１によって管理対象装置３００の電源２３に対するパワーオン処理を行う。診断コマンド制御部２１２は、パワーオン処理の他に、仮立ち上げ命令８０２によって仮立ち上げ処理を行ってもよい。仮立ち上げ処理は、例えば、管理対象装置３００が、第２のネットワークを介して、管理装置１００との通信が可能となるまでの処理を含んでもよい。なお、管理対象装置３００がパワーオン処理によって通信可能となる場合、診断コマンド制御部２１２は、仮立ち上げ処理を行わなくてもよい。
【００９５】
この後、診断コマンド制御部２１２は、仮立ち上げが完了したことを知らせる仮立ち上げ完了報告８０３を、パス３０を介して、管理対象装置３００に対して送ってもよい。すなわち、診断コマンド制御部２１２は、管理対象装置１００からの指示に対する応答を、管理対象装置３００（パス３０）を介して送ってもよい。このとき、管理対象装置３００の転送部３２２は、仮立ち上げ完了報告８０３を、ＩＯＰ部３２１（第２のネットワーク１００２）を介して、指示の送信元である管理装置１００に対して転送する。
【００９６】
管理装置１００は、第２のネットワーク１００２を介して、転送された仮立ち上げ完了報告８０３を受信する。その後、管理装置１００の運用管理部１０３は、第２のネットワーク１００２を介して、ＯＳ立ち上げ命令７０４によるＯＳ立ち上げ処理を管理対象装置３００に対して行うことができる。このようにして、第１のネットワーク１００１が故障している場合にも、管理対象装置３００の再立ち上げを行うことができる。
【００９７】
一方、仮立ち上げ完了報告８０３を受信した後、管理装置１００は、管理対象装置３００の再立ち上げを取りやめてもよい。図６を参照して、再立ち上げの停止の動作を説明する。図６は、第２の実施形態の変形例において、第１のネットワーク１００１が故障した場合における電源切断後、再立ち上げの停止に係る通信の一例を示すシーケンス図である。
【００９８】
再立ち上げを中止する場合、管理装置１００の運用管理部１０３は、転送された仮立ち上げ完了報告８０３を受信した後に、再立ち上げの停止を指示する再立ち上げ停止指示７０５を、第２のネットワークを介して、管理対象装置３００に対して送信する。
【００９９】
管理対象装置３００の転送部３２２は、受信した再立ち上げ停止指示７０５を、パス３０を介して、診断装置２００に対して転送する。
【０１００】
診断装置２００の診断コマンド制御部２１２は、転送された再立ち上げ停止指示７０５に基づいて、パス３０を介して、パワーオフ命令８０５を送信し、管理対象装置３００の電源２３に対して、パワーオフ処理を実行する。このようにして、管理装置１００は、管理対象装置３００の再立ち上げを停止することができる。
【０１０１】
以上説明したように、本変形例には、電源制御に使用する第１のネットワーク１００１が故障した場合にも、管理装置１００が、管理対象装置３００の再立ち上げ、および再立ち上げの停止を行うことができるという効果がある。
【０１０２】
その理由は、管理装置１００の運用管理部１０３が、再立ち上げ時間Ｔを付加して、パワーオフ指示を送信することができるからである。そして、診断装置２００の診断コマンド制御部２１２が、再立ち上げ時間Ｔが付加されたパワーオフ指示に基づいて、パワーオフ後、さらに再立ち上げ時間Ｔが経過した後に、少なくともパワーオン処理を実行することができるからである。
【０１０３】
また、本実施形態に示した構成は、一例である。例えば、診断装置２００および管理対象装置３００は、それぞれ別の情報処理装置に含まれる構成としても実現可能である。また、例えば、第１の実施形態のように、診断装置２００および管理対象装置３００が、それぞれ独立した電子装置であってもよい。
【０１０４】
また、本実施形態では、パワーオフ指示を送信する際に第１のネットワーク１００１に通信の異常が発生した場合を説明したが、通信の異常の発生のタイミングは一例である。すなわち、管理対象装置３００が通信可能であれば、管理装置１００は、パワーオン処理が実行された後に実行する各動作に対する指示を、管理対象装置３００に対して送信してもよい。例えば、管理装置１００は、初期化指示５０１（図３）を送信する際に、第１のネットワークにおける通信の異常を検知した場合、初期化指示５０１を管理対象装置３００を介して送ってもよい。
【０１０５】
＜ＨＷ構成の説明＞
なお、上述した各実施形態において図１または図２に示した各部は、それぞれ独立したハードウェア回路で構成されていてもよいし、ソフトウェアプログラムの機能（処理）単位（ソフトウェアモジュール）と捕らえることができる。ただし、これらの図面に示した各部の区分けは、説明の便宜上の構成であり、実装に際しては、様々な構成が想定され得る。このような場合のハードウェア環境の一例を、図７を参照して説明する。
【０１０６】
図７は、本発明の各実施形態、および、その変形例に係る制御システムに適用可能なコンピュータ（情報処理装置）の構成を例示する図である。すなわち、図７は、上述した各実施形態における管理装置１または１００、第１の電子装置１０または２００、第２の電子装置２０または３００および情報処理装置４００の少なくとも何れかを実現可能なコンピュータの構成であって、上述した各実施形態における各機能を実現可能なハードウェア環境を示す。
【０１０７】
図７に示したコンピュータ９００は、ＣＰＵ（Ｃｅｎｔｒａｌ  Ｐｒｏｃｅｓｓｉｎｇ  Ｕｎｉｔ）９０１、ＲＯＭ（Ｒｅａｄ  Ｏｎｌｙ  Ｍｅｍｏｒｙ）９０２、ＲＡＭ（Ｒａｎｄｏｍ  Ａｃｃｅｓｓ  Ｍｅｍｏｒｙ）９０３、通信インタフェース（ＩＦ）９０４、ディスプレイ９０５、およびハードディスク装置（ＨＤＤ）９０６を備え、これらがバス９０７を介して接続された構成を有する。なお、図７に示したコンピュータが管理装置１または１００、第１の電子装置１０または２００、第２の電子装置２０または３００および情報処理装置４００として機能する場合、ディスプレイ９０５は常時設けられる必要はない。
【０１０８】
また、通信インタフェース９０４は、上述した各実施形態において、当該各コンピュータ間における通信を実現する一般的な通信手段である。ハードディスク装置９０６には、プログラム群９０６Ａと、各種の記憶情報９０６Ｂとが格納されている。プログラム群９０６Ａは、例えば、上述した図１または図２に示した各ブロック（各部）に対応する機能を実現するためのコンピュータ・プログラムである。各種の記憶情報９０６Ｂは、例えば、図１および図２に示した各部に対する設定情報および各部の動作に際して一時的に記憶される情報などである。このようなハードウェア構成において、ＣＰＵ９０１は、コンピュータ９００の全体の動作を司る。
【０１０９】
そして、上述した各実施形態を例に説明した本発明は、各実施形態の説明において参照したブロック構成図（図１または図２）あるいはフローチャート（図３乃至図６）の機能を実現可能なコンピュータ・プログラムを供給した後、そのコンピュータ・プログラムを、当該ハードウェアのＣＰＵ９０１に読み出して実行することによって達成される。また、このコンピュータ内に供給されたコンピュータ・プログラムは、読み書き可能な一時記憶メモリであるＲＡＭ９０３またはハードディスク装置９０６などの不揮発性の記憶デバイス（記憶媒体）に格納すれば良い。
【０１１０】
また、上記の場合において、当該各装置内へのコンピュータ・プログラムの供給方法は、フロッピーディスク（登録商標）またはＣＤ−ＲＯＭ（Ｃｏｍｐａｃｔ  Ｄｉｓｃ−ＲＯＭ）等の各種記録媒体を介して当該装置内にインストールする方法のように、現在では一般的な手順を採用することができる。当該各装置内へのコンピュータ・プログラムの供給方法としては、インターネット等の通信ネットワーク１０００を介して外部よりダウンロードする方法も一般的である。そして、このような場合において、本発明は、係るコンピュータ・プログラムを構成するコード、或いは係るコードが記録されたところの、コンピュータ読み取り可能な記憶媒体によって構成されると捉えることができる。
【０１１１】
なお、上述した実施形態の一部または全部は、以下の付記のようにも記載されうるが、以下の付記に限定されるものではない。
【０１１２】
（付記１）
パスを介して接続される第１の電子装置から制御され、自装置に対して電力を供給する電源と、
前記電源の制御を指示する電源制御指示を、ネットワークを介して受信した場合に、前記パスを介して、前記第１の電子装置に対して前記電源制御指示を転送する転送手段と
を含む第２の電子装置。
【０１１３】
（付記２）
前記転送手段は、前記パスを介して、前記電源制御指示に対する応答を受信した場合、前記ネットワークを介して、前記指示の送信元に対して前記応答を送信する
付記１記載の第２の電子装置。
【０１１４】
（付記３）
前記電源制御指示は、少なくとも、電力の供給開始を指示するパワーオン指示、または電力の供給終了を指示するパワーオフ指示を含み、
前記転送手段は、前記パワーオン指示に対する処理の実行後に行う運用動作の実行を指示する運用制御指示を前記ネットワークを介して受信した場合には、前記パスを介して、前記第１の電子装置に対して前記運用制御指示を転送する
付記１または２記載の第２の電子装置。
【０１１５】
（付記４）
前記転送手段は、パワーオフの後、再びパワーオンを行うまでに空ける時間を表す再立ち上げ時間を含むパワーオフ指示を前記ネットワークを介して受信した場合には、前記パスを介して、前記第１の電子装置に対して前記再立ち上げ時間を含むパワーオフ指示を転送する
付記３記載の第２の電子装置。
【０１１６】
（付記５）
前記パスを介して付記１乃至４のいずれか１つに記載の第２の電子装置と接続される第１の電子装置であって、
前記パスまたは他のネットワークを介して、前記電源制御指示を受信した場合に、前記電源制御指示に基づいて、前記電源を制御する電源制御手段を含む
第１の電子装置。
【０１１７】
（付記６）
前記電源制御手段は、前記パスまたは前記他のネットワークを介して、前記運用制御指示を受信した場合に、前記運用制御指示に基づく処理を実行する
付記５記載の第１の電子装置。
【０１１８】
（付記７）
前記電源制御手段は、前記パスを介して、前記再立ち上げ時間を含むパワーオフ指示を受信した場合、前記電源に電力の供給を終了させる処理であるパワーオフ処理を行った後、前記再立ち上げ時間が経過した後に、少なくとも前記電源に電力の供給を開始させるパワーオン処理を行う
付記５または６記載の第１の電子装置。
【０１１９】
（付記８）
前記電源制御手段は、前記再立ち上げ時間を含むパワーオフ指示に応じて前記パワーオン処理を行った後、再立ち上げの停止を指示する再立ち上げ停止指示を受信した場合、前記パワーオフ処理を行う
付記７記載の第１の電子装置。
【０１２０】
（付記９）
第１のネットワークを介して、第１の電子装置と通信を行い、第２のネットワークを介して、第２の電子装置と通信を行う通信制御手段と、
前記第２の電子装置の電源の制御を指示する電源制御指示を、前記第１の電子装置に対して送信する際に通信の異常を検知した場合、前記通信制御手段を介して、前記第２の電子装置に対して、前記電源制御指示を送信する管理手段を含む
管理装置。
【０１２１】
（付記１０）
前記管理手段は、前記指示に対する前記第１の電子装置からの応答を、前記第２の電子装置から受信する
付記９記載の管理装置。
【０１２２】
（付記１１）
前記管理手段は、少なくとも、電力の供給開始を指示するパワーオン指示、または電力の供給終了を指示するパワーオフ指示を前記電源制御指示に含み、
さらに前記パワーオン指示に対する処理の実行後に行う電源制御指示を含む運用動作の実行を、前記第１の電子装置に対して指示する運用制御指示を送信する際に通信の異常を検知した場合、第２のネットワークを介して前記運用制御指示を送信する
付記９または１０記載の管理装置。
【０１２３】
（付記１２）
前記管理手段は、前記第２の電子装置に対して、前記パワーオフ指示を送信する場合、パワーオフの後、再びパワーオンを行うまでに空ける時間を表す再立ち上げ時間を含むパワーオフ指示を前記第２の電子装置に対して送信する
付記１１記載の管理装置。
【０１２４】
（付記１３）
前記管理手段は、前記再立ち上げ時間を含むパワーオフ指示に対する応答を、前記第２の電子装置から受信した際、前記第２の電子装置の再立ち上げを停止する場合に、前記第１の電子装置に対して再立ち上げの停止を指示する再立ち上げ停止指示を、前記第２の電子装置に対して送信する
付記１２記載の管理装置。
【０１２５】
（付記１４）
付記１乃至４のいずれか１つに記載の第２の電子装置と、
前記第２の電子装置とパスを介して接続される付記５乃至８のいずれか１つに記載の第１の電子装置と
を含む情報処理装置。
【０１２６】
（付記１５）
第２のネットワークを介して接続される第２の電子装置の電源の制御を指示する電源制御指示を、第１のネットワークを介して接続される第１の電子装置に対して送信する際に、通信の異常を検知した場合、前記第２の電子装置に対して、前記電源制御指示を送信する管理手段を含む管理装置と、
前記第２の電子装置に電力を供給する前記電源、および
前記第２のネットワークを介して、前記電源制御指示を受信した場合に、パスを介して接続される前記第１の電子装置に対して、前記電源制御指示を転送する転送手段を含む前記第２の電子装置と、
前記パス、または、前記第１のネットワークを介して、前記電源制御指示を受信した場合に、前記電源制御指示に基づいて、前記第２の電子装置の前記電源を制御する電源制御手段を含む前記第１の電子装置と
を含む制御システム。
【０１２７】
（付記１６）
管理装置と第２のネットワークを介して接続される第２の電子装置の電源の制御を指示する電源制御指示を、前記管理装置と第１のネットワークを介して接続される第１の電子装置に対して送信する際に、通信の異常を検知した場合、前記管理装置から前記第２の電子装置に対して、前記電源制御指示を送信し、
前記第２の電子装置において、
前記電源制御指示を受信し、
前記電源制御指示を、パスを介して接続される前記第１の電子装置に対して、前記パスを介して送信し、
前記第１の電子装置において、
前記電源制御指示を受信し、
前記電源制御指示に基づいて、前記第２の電子装置の前記電源を制御する
電源制御方法。
【０１２８】
（付記１７）
自装置に対して電力を供給する電源の制御を指示する電源制御指示を、ネットワークを介して受信する受信処理と、
パスを介して接続される第１の電子装置に対して、前記パスを介して前記電源制御指示を転送する転送処理と
をコンピュータに実行させる第１のコンピュータ・プログラム。
【０１２９】
（付記１８）
第２の電子装置と接続されるパス、または他のネットワークを介して、前記第２の電子装置の電源の制御を指示する電源制御指示を受信する受信処理と、
前記電源制御指示に基づいて、前記第２の電子装置の前記電源を制御する電源制御処理と
をコンピュータに実行させる第２のコンピュータ・プログラム。
【０１３０】
（付記１９）
第２のネットワークを介して接続される第２の電子装置の電源の制御を指示する電源制御指示を、第１のネットワークを介して接続される第１の電子装置に対して送信する際に、通信の異常を検知する異常検知処理と、
前記通信の異常が検知された場合に、前記第２の電子装置に対して、前記電源制御指示を送信する送信処理と
をコンピュータに実行させる第３のコンピュータ・プログラム。
【符号の説明】
【０１３１】
１、１００    管理装置
２    通信制御部
３、１０３    運用管理部
１０    第１の電子装置
１１    通信制御部
１２    電源制御部
２０    第２の電子装置
２１    通信制御部
２２、３２２    転送部
２３    電源
３０    パス
２００    診断装置（第１の電子装置）
２１２    診断コマンド制御部
３００    管理対象装置（第２の電子装置）
３２１    ＩＯＰ部
３３０    ＣＰＵ部
３３１    ＯＳコマンド制御部
４００    情報処理装置
９００    情報処理装置（コンピュータ）
９０１    ＣＰＵ
９０２    ＲＯＭ
９０３    ＲＡＭ
９０４    通信インタフェース（ＩＦ）
９０５    ディスプレイ
９０６    ハードディスク装置（ＨＤＤ）
９０６Ａ    プログラム群
９０６Ｂ    各種の記憶情報
９０７    バス
１０００    ネットワーク（通信ネットワーク）
１００１    第１のネットワーク（通信ネットワーク）
１００２    第２のネットワーク（通信ネットワーク）
【図１】
0006580913.tif 000002
【図２】
0006580913.tif 000003
【図３】
0006580913.tif 000004
【図４】
0006580913.tif 000005
【図５】
0006580913.tif 000006
【図６】
0006580913.tif 000007
【図７】
0006580913.tif 000008